(57)【要約】【課題】多数の光コネクタ付き保留光ファイバを簡単な構成でかつ容易に保留できるようにする。【解決手段】保留部材１１は、光配線盤内に光コネクタ付きの複数本の保留光ファイバ１を集合状態で保留するためのもので、細長い矩形状をなす下側開口部１２と、これにより充分に広い上側開口部１３とを有してテーパ筒状をなしており、横断面が矩形状である。側壁部１４の一方が蓋１５となっており、蓋１５を開いて保留光ファイバ１の光コネクタ１０部分を内部に収容し、蓋１５を閉じる。多数の光コネクタ１０を束ねた状態で保持できる。保留部材１１は、取付けパネルに設けた取付け部材２２に着脱可能である。保留光ファイバ１を光配線盤内に保留する作業の作業性が良好である。光ファイバ１を吊り下げた態様で保持するので、光ファイバの光コネクタ根元部分に曲げ力があまり作用しない。【選択図】図８
2010102211.tif 000002
【特許請求の範囲】
【請求項１】
光配線盤内で光コネクタ付きの複数本の保留光ファイバを保留するための保留部材であって、
前記保留部材は、光コネクタの幅よりも狭い開口幅を有する横長の下側開口部と、この下側開口部の面積よりも広い上側開口部とを有し、前記下側開口部から前記上側開口部に向かって前記保留光ファイバの収容面積が広くなってゆくテーパ筒状の部材であって、
前記テーパ筒状の部材の側壁部には、前記下側開口部と前記上側開口部とを連絡する側面開口部を有することを特徴とする光配線盤用の保留部材。
【請求項２】
前記保留部材の横断面は矩形であり、この矩形を構成する一方の対向する側壁部の間隔が下側開口部から上側開口部に向かって次第に拡がっており、他方の対向する側壁部どうしが互いに平行をなすとともに、
前記一方の対向する側壁部の幅は前記下側開口部の長辺と同じ長さであり、前記他方の対向する側壁部の幅は前記下側開口部の短辺より長いことを特徴とする請求項１記載の光配線盤用の保留部材。
【請求項３】
前記一方の対向する側壁部は、上下方向に延在する垂直壁と、前記垂直壁に対して傾斜する傾斜壁よりなることを特徴とする請求項２記載の光配線盤用の保留部材。
【請求項４】
前記傾斜壁が、上側傾斜面とこの上側傾斜面よりも傾斜が緩やかな下側傾斜面とからなることを特徴とする請求項３記載の光配線盤用の保留部材。
【請求項５】
前記垂直壁はヒンジ結合部により側壁部に対して回動自在に結合されており、前記垂直壁の自由端は係止部により側壁部に対して係止することを特徴とする請求項３記載の光配線盤用の保留部材。
【請求項６】
前記側面開口部は、上下方向に対して傾斜したスリットであることを特徴とする請求項１〜２記載の光配線盤用の保留部材。
【請求項７】
前記下側開口部に、対向する側壁部の下端から外側に湾曲する態様で下方に延出する案内部を設けたことを特徴とする請求項１〜６のいずれかに記載の光配線盤用の保留部材。
【請求項８】
請求項１〜７のいずれかに記載の保留部材を、光配線盤に設けた取付けパネルに取り付けるための取付け部材であって、
保留部材のテーパ状に対向する２つの側壁部の外面をそれぞれ受ける２つの板状受け部と、前記２つの板状受け部の基部を連結する底板部と、一方の板状受け部の先端から折れ曲がって保留部材の抜け出しを防ぐ抜け出し防止部とからなることを特徴とする取付け部材。
【請求項９】
請求項１〜７のいずれかに記載の保留部材を、光配線盤に設けた取付けパネルに取り付けるための取付けベースであって、
取付けパネルに着脱可能なベース板を備え、このベース板に請求項８の取付け部材を複数個取り付けたことを特徴とする取付けベース。
【請求項１０】
請求項１〜７のいずれかに記載の保留部材を固定する保留スペースを有することを特徴とする光配線盤。
【発明の詳細な説明】
【技術分野】
【０００１】
この発明は、光配線盤内で光コネクタ付きの複数本の保留光ファイバを保留するための保留部材、この保留部材を光配線盤内に取り付けるための取付け部材、この取付け部材を光配線盤に固定するための取付けベース、及びこの保留部材を備えた光配線盤に関する。
【背景技術】
【０００２】
多数の光ファイバの接続切替を行う光配線盤の構成部品として、多数の光コネクタアダプタを作業面側に備えた接続ユニットが用いらている。
光配線盤に導入された加入者側の光ファイバケーブルから導出した光ファイバは、通常、光ジャンパユニットを経て前記接続ユニットにて別の光ファイバ（ジャンパコードという場合がある）と適宜の手段で接続されている。
ジャンパコードの先端には光コネクタが成端され、現用線の光コネクタは接続ユニットの光コネクタアダプタに接続されている。
一方、加入者増に備え、当面は接続すべき相手側のない前記別の光ファイバ、すなわち保留光ファイバも光配線盤内に収容されている。
保留光ファイバの本数は非常に多いので、混線をふせぐために光配線盤の特定領域、例えば扉の裏側に保留領域を設けて、この保留領域に保留することが行われている。
【０００３】
特許文献１（特開２０００−３２９９４５：光用架体）では、光コネクタ付きの保留光ファイバを保留するために、光コネクタを装着するコネクタ保持孔を多数設けた保留端子盤を設けている。
【０００４】
特許文献２（特許第３５４０１８４号：光コネクタ保留盤）では、保留光ファイバに取り付けた光コネクタの保護ブーツ部分を嵌合させる保持溝を多数形成した保持ブロックが用いられている。
この保持ブロックを複数並べて、矩形枠状の保留盤本体にヒンジにて回転可能に取り付けており、回転動作により保持ブロックを引き出し可能とされている。
【０００５】
また、光コネクタ付きの光ファイバを取り纏めて集合する構造としては、光コネクタを箱状の部品を用いて纏めることが一般に行われている。
【特許文献１】特開２０００−３２９９４５の図３等
【特許文献２】特許第３５４０１８４号の図１等
【発明の開示】
【発明が解決しようとする課題】
【０００６】
上記箱状の光コネクタ保留部品を用いると、箱状であり周囲に壁があるから、多数の保留光ファイバの光コネクタを収容する際、光コネクタの先端を揃える必要がある。そのため、光コネクタを収容する際の作業性が必ずしもよくない。
また、光コネクタ保留部品の容積として、収容する光コネクタ数の容積以上の容積が当然必要であるが、作業性をよくするためには、その何倍もの容積が必要となり、広いスペースを必要とする。また、一定の収容スペースに対しては、多数の保留光ファイバを保留できない。
【０００７】
上記特許文献１のものは保留光ファイバの光コネクタをコネクタ保持孔に装着するものであり、また、特許文献２のものは保留光ファイバの光コネクタを保持溝に嵌合させるものであり、いずれの保留光ファイバ保留手段も、個々の保留光ファイバの光コネクタを整列状態で整然と保留できるものであるが、光コネクタをコネクタ保持孔や保持溝に装着する作業の作業性がよくないし、また、多数の保留光ファイバを保留できない。
いずれにしても、光配線盤内の狭い限られたスペースに多数の保留光ファイバを保留できないという問題がある。
【０００８】
本発明は上記背景のもとになされたもので、狭い限られたスペース内に多数の保留光ファイバを簡単な構成でかつ容易に保留可能にすることを目的とする。
【課題を解決するための手段】
【０００９】
上記課題を解決するために、請求項１は、光配線盤内で光コネクタ付きの複数本の保留光ファイバを保留するための保留部材であって、前記保留部材は、光コネクタの幅よりも狭い開口幅を有する横長の下側開口部と、この下側開口部の面積よりも広い上側開口部とを有し、前記下側開口部から前記上側開口部に向かって保留光ファイバの収容面積が広くなってゆくテーパ筒状の部材であって、前記テーパ筒状の部材の側壁部には、前記下側開口部と前記上側開口部とを連絡する側面開口部を有することを特徴とする。
請求項２は、請求項１にて、前記保留部材の横断面は矩形であり、この矩形を構成する一方の対向する側壁部の間隔が下側開口部から上側開口部に向かって次第に拡がっており、他方の対向する側壁部どうしが互いに平行をなすとともに、前記一方の対向する側壁部の幅は前記下側開口部の長辺と同じ長さであり、前記他方の対向する側壁部の幅は前記下側開口部の短辺より長いことを特徴とする。
請求項３は、請求項２にて、前記一方の対向する側壁部は、上下方向に延在する垂直壁と、前記垂直壁に対して傾斜する傾斜壁よりなることを特徴とする。
請求項４は、請求項３にて、前記傾斜壁が、上側傾斜面とこの上側傾斜面よりも傾斜が緩やかな下側傾斜面とからなることを特徴とする。
請求項５は、請求項３にて、前記垂直壁はヒンジ結合部により側壁部に対して回動自在に結合されており、前記垂直壁の他端は係止部により側壁部に対して係止することを特徴とする。
請求項６は、請求項１〜２にて、前記側面開口部は、上下方向に対して傾斜したスリットであることを特徴とする。
請求項７は、請求項１〜６にて、前記下側開口部に、側壁部の下端から外側に湾曲する態様で下方に延出する案内部を設けたことを特徴とする。
請求項８は、請求項１〜７にて、保留部材を光配線盤に設けた取付けパネルに取り付けるための取付け部材であって、保留部材のテーパ状に対向する２つの側壁部の外面をそれぞれ受ける２つの板状受け部と、前記２つの板状受け部の基部を連結する底板部と、一方の板状受け部の先端から折れ曲がって保留部材の抜け出しを防ぐ抜け出し防止部とからなることを特徴とする。
請求項９は、請求項１〜７にて、保留部材を光配線盤に設けた取付けパネルに取り付けるための取付けベースであって、取付けパネルに着脱可能なベース板を備え、このベース板に請求項８の取付け部材を複数個取り付けたことを特徴とする取付けベース。
請求項１０は、請求項１〜７にて、保留部材を固定する保留スペースを光配線盤内に有することを特徴とする。
【発明の効果】
【００１０】
本発明の保留部材によれば、光ファイバは通過できるが光コネクタは通過できない程度に幅が狭くて細長い下側開口部と、これにより充分に広い上側開口部とを有するテーパ筒状をなしているので、下側開口部では、光コネクタ付きの多数の保留光ファイバの光ファイバ部分を通すことができるとともに、充分広い上側開口部側の空間では、多数の光コネクタ部分が配される空間を確保できる。
そして、前記の広い上側開口部側の空間で光コネクタ部分を束ねた状態で保持するものであるから、光コネクタを保持孔や保持溝に挿入して保持する従来型のものと比べて、多数の光コネクタを保持することができる。
また、光コネクタが上向きに収容されるものであり、光コネクタの先端側に壁がないので、この保留部材に光コネクタを纏めて収容する際に、光コネクタの先端を揃える必要がなく、作業性が良好である。
また、光コネクタを上向きにして、その光コネクタ部分を直接あるいはその保護ブーツ部分を束ねた状態で受けるものである。
この姿勢では、光ファイバは吊り下げられた態様で保持されるので、光コネクタ根元部分に過度の曲げ力が作用することは少なく、光ファイバの損傷を防止できる。
また、保留光ファイバを収納した状態でも各光コネクタを見ることができるので、個々の光コネクタの識別が容易である。
【００１１】
なお、保留光ファイバを保留部材内に収容する際には、保留光ファイバを保留部材の横壁から、すなわち、側壁部に設けた下側開口部と上側開口部とを連絡する側面開口部から内部に収容できる。
収容した保留光ファイバが抜け出すのを防ぐ手段としては、例えば、側面開口部を広い開口部とするとともに開閉可能な蓋を設けた構成とすることができる。
この場合、蓋を開いて保留光ファイバを収容した後、蓋を閉じると、保留光ファイバが抜け出すことはない。
側面開口部の形状を途中屈曲したスリット状の開口にすることができる。
スリットの幅は、光ファイバは通過できるが光コネクタは通過できない程度に幅が狭く、しかもスリット状開口部の形状が途中で屈曲しているため、スリット状開口部から保留部材内に収容された保留光ファイバが抜け出すことを防止できる。
【００１２】
また、蓋と対向する側壁部が、傾斜の急な上側傾斜面と傾斜の緩やかな下側傾斜面とからなる構成によれば、上側傾斜面に対応する上部空間が広くなり、収容可能な光コネクタの数を増やすことができる。
また、保留部材の上部で集合している各光コネクタの向きが大きく変わらない態様となり、集合態様として好適である。
【００１３】
そして、側面開口部が単なる屈曲したスリット状開口部であれば、開閉用の蓋を持たないので、形状が単純であり、安価に製造できる。
【００１４】
下側開口部に外側に湾曲する下側開口部用の案内部を設けると、下側開口部の部分で保留光ファイバに過度の曲げ力が作用することを有効に防止できる。
【００１５】
本発明の取付け部材によれば、保留部材を取付け部材に単に上から差込みあるいは上に引き抜くという簡単な操作で、保留部材の着脱を行うことができる。
したがって、保留部材を取付け部材から取り外してこれに保留光ファイバを収容した後、保留部材を取付け部材に装着することで、保留光ファイバを光配線盤の取付けパネルに保留することができ、保留作業の作業性が良好である。
この場合、取付け部材を取付けパネルに直接取り付けることができ、また、取付けベースの形で取付けパネルに取り付けることができる。
【００１６】
本発明の取付けベースによれば、多数の保留部材を光配線盤の取付けパネルに容易にかつ能率的に着脱することができる。
【発明を実施するための最良の形態】
【００１７】
以下、本発明を実施した光配線盤用の保留部材、取付け部材、取付けベース、及び光配線盤について、図面を参照して説明する。
【実施例１】
【００１８】
図１は本発明の一実施例の保留部材１１を示すもので、（ａ）は平面図、（ｂ）は正面図、（ｃ）は右側面図、図２は図１の保留部材１１の斜視図である。
図３は本発明の保留部材１１を用いて保留光ファイバ１を保留する光配線盤２の一例を示すもので、（ａ）は扉状の取付けパネル３を開いた状態の光配線盤２の正面図、（ｂ）は光配線盤２を上から見た平面図、（ｃ）は取付けパネル３を閉じた状態の平面図である。
同図において、４は接続ユニット、５は光ジャンパーユニットである。
例えば、外部から導入された光ケーブル（図示略）から取り出した光ファイバは、光ジャンパユニット５で他の光ファイバ（ジャンパコードという場合がある）に融着接続や、光コネクタ接続等の適宜手段にて接続される。
ジャンパコードの一方の端部は光コネクタが接続されており、光コネクタ成端された現用回線のジャンパコードの一方の端部は、光ジャンパーユニットから接続ユニットに向かって導出し、接続ユニット４の光コネクタアダプタ（図示略）に接続される。
一方、当面接続すべき相手側光ファイバのない光ファイバすなわち前述の保留光ファイバ１は、加入者増に備えて取付けパネル３に保留される。この場合、保留光ファイバ１に光コネクタ１０（図８参照）を取り付けて、この光コネクタ１０を取付けパネル３に纏めて保留する。
取付けパネル３は、例えば光配線盤（箱）を開閉する蓋の裏側に設けてもよいし、あるいは蓋自体としてもよい。あるいは光配線盤（箱）を構成する側壁の適宜箇所であってもよい。
いずれにしても、本発明では、取付けパネルとは保留光ファイバが保留されるスペース、あるいは保留される区域を確保した構造物を総称する。
【００１９】
保留部材１１は、光コネクタ１０を取り付けた保留光ファイバ１を纏めて保留することができる。
保留部材１１は外観がテーパ筒状をなす樹脂一体成形品である。
保留部材１１の上下は開口し、下側開口部１２は、光ファイバは通過するが光コネクタ１０が通過し得ない狭い幅の短辺１２ｂと、これより充分に長い長辺１２ａ（図１（ａ）参照）とからなる細長い矩形状をなす横長でスリット状をなしている。
これに対して、上側の開口部１３は大きく開口し、下側開口部１２に比べて充分に広い面積を保有する。
光コネクタが通過し得ないという言葉の意味について説明する。
光コネクタとしてＭＵコネクタ（ＪＩＳＣ5983に適合）を用いた場合、つまみ付きの場合で４×４mm程度の大きさとなる。
光コネクタとしてＳＣコネクタ（JISC５９７３に適合）用いた場合には、概ね７×７mmの大きさとなる。
光コネクタとして、ＳＣ２コネクタを用いた場合には、６×６mm程度の大きさとなる。
光コネクタに接続される光ファイバとして光ファイバコードを用いた場合、その径は概ね２．８mmである。
つまり、光コネクタが通過し得ない幅というのは、光コネクタの幅以下であり、かつ光コネクタに接続される光ファイバが通過する程度の幅という意味である。
さて、図１（ａ）に示されるように、保留部材１１を上から見た場合、保留部材１１は矩形である。
この矩形を構成する向かい合う側壁部１４ａ、１４ｂの幅は、下側開口部の長辺１２ａとほぼ同じ長さであり、他の向かい合う側壁部１４c、１４ｄの幅が下側開口部の短辺１２ｂより充分長くなっている。
一方の対向する側壁部１４ｃ、１４ｄどうしは互いに平行である。
これにたいして他方の対向する側壁部において、側壁部１４ｂは上下方向に延在する垂直壁であり、これに対向する側壁１４ａは、垂直壁１４ｂに対して傾斜する傾斜壁１４ａである。
この構成により保留部材１１の断面積は上側開口部１３に向かって次第に広くできる。
なお、上下方向とは、図１（ｂ）において紙面上下方向を指し、この方向は保留部材１１を光配線盤２に取り付ける作業現場での鉛直方向を指している。
保留部材１１の断面は、このように上拡がりのテーパ形状となっているため、保留光ファイバ１の収容面積は上側開口部に向かって次第に広くなっている。本実施例では、側壁部に下側開口部１２と上側開口部１３とを連絡する側面開口部を設けている。
この実施例では、側壁部の一方（垂直壁１４ｂ）が開閉蓋１５（以下、蓋という場合がある）となっており、この開閉蓋１５を除いた部分が広い断面積の開口部（側面開口部）１６である。
すなわち、保留部材本体１７の断面はコ字形をなし、このコ字形の開放側となる端縁に、平板状の開閉蓋１５がヒンジ結合部１５ａを介して開閉可能（回動自在）に結合された構成である。
開閉蓋１５の他端（自由端）には係止部１５が２箇所設けられている。
これら係止部１５は、蓋１５を前記端縁に係止する部分である。
本実施例の係止機構は、突片１５c、１５ｄに設けられた係合穴１５ｂと、これら係合穴に対応する位置の保持部本体１７から突出した係止爪１８により構成されている。
蓋１５を閉じると、この位置において、この係止爪１８が蓋１５の係合穴１５ｂに係合して、蓋１５が開かないようにロックされ、蓋１５が保持部本体１７に係止される構造となっている。
図１（ｂ）に示すように、蓋１５（側壁部１４ｂ）と対向する側壁部１４ａは、紙面左右方向に対して傾斜の急な上側傾斜面１４ａａと傾斜の緩やかな下側傾斜面１４ａｂとから構成されている。
１４cは上側傾斜面１４ａａと下側傾斜面１４ａｂ傾斜面の境であり、傾斜面の角度が変化する部分である。
また、下側開口部１２から対向する案内部１５ａ、１４ａｃが延出している。
これら案内部１５ａ、１４ａｃは光ファイバを案内する部材であり、一方の案内部１４ａｃは、２段傾斜の側壁部１４ａの下端から外側（図１（ｂ）で左側）に湾曲する態様で下方に延出し、他方の案内部１５ｂは蓋１５（側壁部１４ｂ）の下端から外側（図１（ｂ）で右側）に湾曲する態様で下方に延出している。
【００２０】
図４〜図７は、保留部材１１が搭載される取付け部材２２の構造と、取付け部材２２を固定する取付けベース２１の構造、および保留部材１１が取付け部材２２を用いて取付けパネル３に取り付けられている状態を示している。
図４は複数の保留部材１１が、整然とマトリックス状に取付けパネル３に取り付けられている状態を示し、図５は図４における１つの取付けベース部分の拡大図を示し、図６は図５の左側面図、図７は保留部材１１を搭載していない状態で取付けベース２１のみを示した斜視図である。
各図に示されるように保留部材１１は後述の取付け部材２２を用いて取付けパネル３に取り付けられている。
図５、図７に示すように、取付け部材２２は、保留部材１１の蓋１５及びこれに対向する２段傾斜の側壁部１４ａの下側側壁部１４ａｂのそれぞれ外面を受ける２つの板状受け部２２ａ、２２ｂと、前記２つの板状受け部２２ａ、２２ｂの基部を連結する底板部２２ｃと、一方の板状受け部２２ａの先端から直角に折れ曲がって保留部材１１の抜け出しを防ぐ抜け出し防止部２２ｄとからなっており、底板部２２ｃにてベース板２１に固定されている。底板部２２ｃのベース板２１への固定は接着あるいはネジ止め等で行うことができる。
【００２１】
実施例の取付け部材２２は、図６に示すように２つの保留部材１１を装着可能な構成であり、板状受け部２２ａ、２２ｂの長さは、２つの保留部材１１を装着可能な長さとされている。
取付けベース２０は、取付けパネル３に着脱可能なベース板２１に２つの取付け部材２２を取り付けた構成であり、取付けベース２０のベース板２１の上縁部にフック２１ａを備え、取付けベース２０は、このフック２１ａを取付けパネル３にあけた角穴３ａに引っ掛けて、取付けパネル３に取り付けることができる。取付けベース２０は図３や取付けパネル３の一部を拡大した図４に示すように、格子状配列で多数個、取付けパネル３に取り付けられている。
【００２２】
上記の保留部材１１及び取付けベース２０を用いて、保留光ファイバ１を取付けパネル３に保留する作業について説明する。
各保留部材１１は、光ジャンパユニット５における番号付けされた特定箇所と関連付けて番号付けされており、光ジャンパユニット５の特定箇所に接続された複数の保留光ファイバを、それに対応する保留部材１１に保留する。
例えば、取付けパネル３における図３、図４の左上隅の取付けベース２０に装着された２つの保留部材１１は、光ジャンパユニット５のＮｏ.１、Ｎｏ.２の箇所に対応させている。
【００２３】
保留光ファイバ１の光コネクタ１０を、取付けベース２０の取付け部材２２に収容する作業手順は、まず、保留しようとする保留光ファイバ１に対応する取付けベース２０の取付け部材２２から保留部材１１を取り出し、その蓋１５を開き、保留すべき保留光ファイバ１の光コネクタ１０部分を保留部材１１内に収容し、蓋１５を閉じる。
次いで、その保留部材１１を元の取付け部材２２に装着する。
【００２４】
図８に保留光ファイバ１の光コネクタ１０を保留部材１１内に収容した状態を示す。
光コネクタ１０はその本体部分あるいは保護ブーツ１０ａ部分が集合した状態で、保留部材１１内に収容される。実施例の保留部材１１は、例えば６４個の光コネクタ１０を収容可能である。
当然のことであるが、光コネクタの大きさにより収納数は増減する。
光ジャンパユニット５と取付けパネル３との間の配線方法としては、上記のように予め保留部材１１に６４本の保留光ファイバ１を収容しておき、その保留部材１１からターゲットとする保留光ファイバ１を取り出し、光ジャンパユニット５の所定の箇所にコネクタ接続する手順となる。
【００２５】
上記の保留部材１１によれば、光コネクタ１０が通過し得ない細長い下側開口部１２とこれにより充分に広い上側開口部１３とを有するテーパ筒状をなしているので、下側開口部１２では、光コネクタ付きの多数の保留光ファイバ１の光ファイバ部分を通すことができるとともに、充分広い上側開口部１３側の空間では多数の光コネクタ部分が配される空間を確保できる。
そして、前記の広い上側開口部１３側空間で光コネクタ１０部分を束ねた状態で保持するものであるから、光コネクタを保持孔や保持溝に挿入して保持する従来品と比べて、かなり多くの光コネクタを保持することができる。
また、図８に示すように光コネクタ１０が概ね上向きに収容されるものであり、光コネクタ１０の先端側（上方）に壁がないので、この保留部材１１に光コネクタ１０を収容する際に、光コネクタの先端を揃える必要がなく、従来の箱状の光コネクタ保留部品に収納する方式と比べて、作業性が大幅に向上する。
また、保留部材１１は、上向きにした光コネクタ１０の本体部分を直接あるいはその保護ブーツ１０ａ部分を束ねた状態で受けるものであり、したがって、光ファイバ１を自重で吊り下げたような形状で保持するので、光ファイバ１の光コネクタ根元部分に過度の曲げ力が作用することは少なく、光曲げ損失が発生したり光ファイバ１を損傷する恐れが少ない。
さらにまた、保留光ファイバ１を保留した状態でも各光コネクタ１０を見ることができるので、個々の光コネクタ１０の識別が容易であり、保留作業時あるいは配線替え時における作業性が良好である。
【００２６】
実施例の保留部材１１は、蓋１５と対向する側壁部１４ａが、傾斜の急な上側傾斜面１４ａａと傾斜の緩やかな下側傾斜面ａｂとからなるので、上側傾斜面１４ａａに対応する上部空間が広くなり、収容可能な光コネクタ１０の数を増やすことができる。
これにより、保留部材１１の上部で集合している各光コネクタの向きが大きく変わらない態様となり、集合態様として好適である。
一方、下側開口部１２に外側に湾曲する下側開口部用案内部１４ａｃ、１５ａが設けられているので、下側開口部１２の部分で保留光ファイバ１に曲げ力が作用することを有効に防止できる。
【００２７】
このように、保留部材１１を取付け部材２２に単に上から差込みあるいは上に引き抜くという簡単な操作で、保留部材１１の着脱を行うことができるため保留部材１１の着脱が容易である。
したがって、上述したように、保留部材１１を取付け部材２２から取り外してこれに保留光ファイバ１を収容した後、保留部材１１を取付け部材２２に装着するという作業により、保留光ファイバ１を取付けパネル３に保留することができ、保留作業の作業性が良好である。
【００２８】
また、１つの取付けベース２０が２つの取付け部材２２を備え、各取付け部材２２が２つの保留部材１１を装着することができ、したがって、１つの取付けベース２０に４つの保留部材１１を装着することができるので、多数の保留部材１１を取付けパネル３に容易にかつ能率的に着脱することを可能にする構成として適切である。
１つの取付けベースに装着する保留部材１１が多過ぎても少な過ぎても、作業性がよくないが、この取付けベース２０の構成は適切である。
【実施例２】
【００２９】
なお、上記実施例の取付け部材２２は、２つの保留部材１１を装着可能な構成であるが、１つを装着する構成でもよいし、また３つ以上の保留部材１１を装着可能な構成とすることもできる。
また、実施例の取付け部材２２は、これをベース板２１に取り付けた取付けベース２０という形で取付けパネル３に装着しているが、取付け部材２２を取付けパネル３に直接取り付け構成とすることもできる。
さらには、保留部材１１を直接取付けパネル３に取り付ける構成とすることもできる。
【実施例３】
【００３０】
図９に他の実施例の保留部材１１’を示す。
図１、図２に示した保留部材１１の蓋１５と対向する側壁部１４ａは２段傾斜となっているが、この実施例の保留部材１１’における蓋１５と対向する側壁部１４ａ’は２段傾斜でなく、単一傾斜である。
その他の点は保留部材１１と同様であり、共通する部分に同じ符号を付して説明を省略する。
この保留部材１１’を装着する取付け部材２２’を１点鎖線で示す
【実施例４】
【００３１】
図１０、図１１に他の実施例の保留部材３１を示す。
この保留部材３１は、上記実施例のように傾斜面（側壁部３４）が折れ曲がっておらず、保留光ファイバ１を保留部材３１内に横から収容するための側面開口部として、側壁部３４に下側開口部３２と上側開口部３３とを連絡するスリット状開口部３６を設けたものである。
このスリット状開口部は下側開口部から上側開口部に向かって上下方向（図１１の上下方向）に真っ直ぐに形成されておらず、全体として概ね傾斜している。
そして、スリット幅は、光コネクタは通さないが光ファイバは通す程度の幅を有した一定幅の幅狭部３６ａと、それよりも幅が広くなっている幅広部３６ｂにより構成されており、幅広部３６ｂは、幅狭部３６ａが形成された側壁３４ａだけでなく隣接する側壁３４ｄにも延在している。
つまり、下側開口部側のスリット面積が広くなっている。
本実施例は、前実施例のように広い開口部１６、及び開口部を閉ざす蓋１５を持たないが、その他の点は、前記保留部材１１と概略は同様である。
すなわち、光コネクタ１０が通過し得ない短辺とこれより充分に長い長辺とからなる細長い矩形状をなす下側開口部３２とこれにより充分に広い上側開口部３３とを有するテーパ筒状をなす樹脂一体成形品である。
上側開口部３３は、その一辺が下側開口部３２の長辺と同じ長さで、他辺が下側開口部３２の短辺より充分長くなっている。
下側開口部３２の短辺長さ方向（図１１で左右方向）に対向する側壁部３４ａ、３４ｂどうしが次第に拡開するテーパ状をなし、下側開口部３２の長辺長さ方向に対向する側壁部３４ｃ、３４ｄどうしが互いに平行をなしており、上から見て矩形状の横断面を有する。
下側開口部３２に、テーパ状に対向する２つの側壁部３４ａ、３４ｂの下端からそれぞれ外側に湾曲する態様で下方に延出する案内部３４ａｃ、３４ｂｃを設けている。
図示例のスリット状開口部３６は、図１０に示すように、テーパ状の一方の側壁部３４ａの上端から下方に延び、下部において隣接する側壁部３４ｄに移り、この側壁部３４ｄを垂直に下って下端に抜ける形状である。
なお、図示例の開口部は概ね正方形をなしているように、本発明では矩形とは正方形と長方形の総称と定義する。
そして、各辺の長さや各辺間の間隔が変化して完全な矩形形状から変形した場合であっても本発明の範囲内とする。
【００３２】
この保留部材３１を取付けパネル３に取り付けるために用いる取付け部材４２を図１１に２点鎖線で示す。
この取付け部材４２の基本構造は、図７の取付け部材２２と概ね同様であり、テーパ状に対向する側壁部３４ａ、３４ｂを受ける２つの板状受け部４２ａ、４２ｂと、前記２つの板状受け部４２ａ、４２ｂの基部を連結する底板部４２ｃと、一方の板状受け部４２ａの先端から直角に折れ曲がって保留部材３１の抜け出しを防ぐ抜け出し防止部４２ｄとからなっており、底板部４２ｃにて取付けベースのベース板に固定される。
【００３３】
この保留部材３１では、保留光ファイバ１をスリット状開口部３６を経由して保留部材３１内に収容する。
このスリット状開口部３６の形状が図示のように屈曲したように変形しているので、内部に収容された保留光ファイバ１がこのスリット状開口部３６から外に容易に抜け出さない。
また、保留部材３１を取付け部材４２に装着した状態では、スリット状開口部３６を取付け部材４２の板状受け部４２ａが塞ぐので、内部の光ファイバ１がスリット状開口部３６から抜け出すことを防止できる。
【００３４】
この保留部材３１は、保留光ファイバ１を保留部材３１内に横から収容するための側面開口部がスリット状開口部３６であり、蓋を持たないので、形状が単純であり、安価に製造できる。
【図面の簡単な説明】
【００３５】
【図１】本発明の一実施例の保留部材を示すもので、（ａ）は平面図、（ロ）は正面図、（ｃ）は右側面図である。
【図２】図１の保留部材の斜視図である。
【図３】上記の保留部材が設置される光配線盤の一例を示すもので、（ａ）は保留部材を装着した扉状の取付けパネルを開いた状態の正面図、（ｂ）は同平面図、（ｃ）は取付けパネルを閉じた状態の正面図である。
【図４】図３（ａ）における取付けパネルの詳細を示す要部拡大図である。
【図５】図４における１つの取付けベース部分の拡大図である。
【図６】図５の左側面図である。
【図７】図５における取付けベースのみを示した斜視図である。
【図８】図５の取付けベースにおける取付け部材に装着された保留部材に多数の光コネクタを収容した状態を示す図である。
【図９】本発明の他の実施例の保留部材の正面図である。
【図１０】本発明のさらに他の実施例の保留部材の斜視図である。
【図１１】図１０の保留部材の正面図である。
【符号の説明】
【００３６】
１  保留光ファイバ
２  光配線盤
３  取付けパネル
３ａ  角穴
４  接続ユニット
５  光ジャンパユニット
６  接続光ファイバ
１０  光コネクタ
１１、１１’、３１  保留部材
１２、３２  下側開口部
１３、３３  上側開口部
１４、３４  側壁部
１４ａ、１４ｂ、１４ａ’、３４ａ、３４ｂ    テーパ状に対向する側壁部
１４ａａ  傾斜の急な上側傾斜面
１４ａａ  傾斜の緩やかな下側傾斜面
１４ｃ、１４ｄ、３４ｃ、３４ｄ  互いに平行な側壁部
１４ａｃ、１５ｂ、３４ａｃ、３４ｂｃ  案内部
１５  蓋（＝側壁部１４ｄ）
１５ａ  薄肉ヒンジ部
１５ｂ  係合穴
１６  側面開口部（広い開口部）
１７  保持部本体
１８  係止爪
２０  取付けベース
２１  ベース板
２１ａ  フック
２２、２２’、４２  取付け部材
２２ａ、２２ｂ  板状受け部
２２ｃ  底板部
２２ｄ  
３６  途中屈曲のスリット状開口部（側面開口部）
【図１】
2010102211.tif 000003
【図２】
2010102211.tif 000004
【図３】
2010102211.tif 000005
【図４】
2010102211.tif 000006
【図５】
2010102211.tif 000007
【図６】
2010102211.tif 000008
【図７】
2010102211.tif 000009
【図８】
2010102211.tif 000010
【図９】
2010102211.tif 000011
【図１０】
2010102211.tif 000012
【図１１】
2010102211.tif 000013